【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
被加工物に付設されてその被加工物の個別識別情報および加工情報を記憶した識別タグに対する読み取りおよび書き込みの情報を管理するタグ情報管理装置と、
前記タグ情報管理装置にネットワークを介して接続され、前記タグ情報管理装置が前記識別タグに書き込んだ情報を製品生産情報として記憶するとともに、クライアント端末からの要求に応じて前記製品生産情報について所定の情報処理を実行し、その結果を前記クライアント端末に提供する生産情報管理サーバと、
前記生産情報管理サーバに前記ネットワークを介して接続され、前記生産情報管理サーバに対し前記製品生産情報について所定の情報処理を要求し、その情報処理の結果の提供を受けるクライアント端末と
を備えた生産情報管理システムであって、
前記タグ情報管理装置が、
前記被加工物を加工する加工工程開始時に、前記識別タグに記憶されているタグ情報を読み取るタグ情報読み取り手段と、
前記加工工程における加工実績情報を取得する加工実績情報取得手段と、
前記タグ情報読み取り手段が読み取ったタグ情報、および、前記加工実績情報取得手段が取得した加工実績情報に基づき、新規タグ情報を生成する新規タグ情報生成手段と、
前記加工工程終了時に、前記新規タグ情報生成手段により生成された前記新規タグ情報を、新規識別タグに書き込む新規タグ情報書込み手段と、
前記加工工程終了時に、前記新規タグ情報生成手段により生成された前記新規タグ情報を、前記生産情報管理サーバに送信する新規タグ情報送信手段と、
前記新規識別タグを前記被加工物に付設する新規識別タグ付設手段と
を備え、
前記生産情報管理サーバが、
前記タグ情報管理装置から送信された前記新規タグ情報を受信する新規タグ情報受信手段と、
前記新規タグ情報受信手段が受信した前記新規タグ情報を、前記被加工物の製品生産情報として記憶する製品生産情報記憶手段と、
前記クライアント端末が送信する情報処理要求コードを受信する情報処理要求受信手段と、
前記情報処理要求受信手段が受信した情報処理要求コードによって指示された内容の情報処理を実行する製品生産情報処理手段と、
前記製品生産情報処理手段による情報処理の結果の情報を前記クライアント端末に送信する情報処理結果送信手段と
を備え、
前記クライアント端末が、
前記生産情報管理サーバに対し、前記製品生産情報を処理する情報処理の内容を指示した情報処理要求コードを送信する情報処理要求送信手段と、
前記生産情報管理サーバが送信した情報処理の結果の情報を受信する情報処理結果受信手段と
を備えたこと
を特徴とする生産情報管理システム。
【請求項２】
被加工物に付設されてその被加工物の個別識別情報および加工情報を記憶した識別タグに対する読み取りおよび書き込みの情報を管理するタグ情報管理装置と、
前記タグ情報管理装置にネットワークを介して接続され、前記タグ情報管理装置が前記識別タグに書き込んだ情報を製品生産情報として記憶するとともに、クライアント端末からの要求に応じて前記製品生産情報について所定の情報処理を実行し、その結果を前記クライアント端末に提供する生産情報管理サーバと、
前記生産情報管理サーバに前記ネットワークを介して接続され、前記生産情報管理サーバに対し前記製品生産情報について所定の情報処理を要求し、その情報処理の結果の提供を受けるクライアント端末と
を備えた生産情報管理システムにおけるタグ情報管理装置であって、
前記タグ情報管理装置が、
前記被加工物を加工する加工工程開始時に、前記識別タグに記憶されているタグ情報を読み取るタグ情報読み取り手段と、
前記加工工程における加工実績情報を取得する加工実績情報取得手段と、
前記タグ情報読み取り手段が読み取ったタグ情報、および、加工実績情報取得手段が取得した加工実績情報に基づき、新規タグ情報を生成する新規タグ情報生成手段と、
前記加工工程終了時に、前記新規タグ情報生成手段により生成された前記新規タグ情報を、新規識別タグに書き込む新規タグ情報書込み手段と、
前記加工工程終了時に、前記新規タグ情報生成手段により生成された前記新規タグ情報を、前記生産情報管理サーバに送信する新規タグ情報送信手段と、
前記新規識別タグを前記被加工物に付設する新規識別タグ付設手段と
を備えたこと
を特徴とする生産情報管理システムにおけるタグ情報管理装置。
【請求項３】
被加工物に付設されてその被加工物の個別識別情報および加工情報を記憶した識別タグに対する読み取りおよび書き込みの情報を管理するタグ情報管理装置と、
前記タグ情報管理装置にネットワークを介して接続され、前記タグ情報管理装置が前記識別タグに書き込んだ情報を製品生産情報として記憶するとともに、クライアント端末からの要求に応じて前記製品生産情報について所定の情報処理を実行し、その結果を前記クライアント端末に提供する生産情報管理サーバと、
前記生産情報管理サーバに前記ネットワークを介して接続され、前記生産情報管理サーバに対し前記製品生産情報について所定の情報処理を要求し、その情報処理の結果の提供を受けるクライアント端末と
を備えた生産情報管理システムにおける生産情報管理サーバであって、
前記生産情報管理サーバが、
前記タグ情報管理装置から送信された前記被加工物に付設された新規識別タグへの書き込み情報である新規タグ情報を受信する新規タグ情報受信手段と、
前記新規タグ情報受信手段が受信した前記新規タグ情報を、前記被加工物の製品生産情報として記憶する製品生産情報記憶手段と、
前記クライアント端末が送信する情報処理要求コードを受信する情報処理要求受信手段と、
前記情報処理要求受信手段が受信した情報処理要求コードによって指示された内容の情報処理を実行する製品生産情報処理手段と、
前記製品生産情報処理手段による情報処理の結果の情報を前記クライアント端末に送信する情報処理結果送信手段と
を備えたこと
を特徴とする生産情報管理システムにおける生産情報管理サーバ。
【請求項４】
前記製品生産情報処理手段は、
前記製品生産情報記憶手段を対象として、前記情報処理要求コードによって指定される特定の被加工物に付設された新規タグ情報に相当する情報を検索し抽出する処理、前記情報処理要求コードによって指定される特定の製品の特定の工程の製品生産情報を抽出しその統計をとる処理、または、その両方の処理を行うこと
を特徴とする請求項３に記載の生産情報管理システムにおける生産情報管理サーバ。
【請求項５】
被加工物に付設されてその被加工物の個別識別情報および加工情報を記憶した識別タグに対する読み取りおよび書き込みの情報を管理するタグ情報管理装置と、
前記タグ情報管理装置にネットワークを介して接続され、前記タグ情報管理装置が前記識別タグに書き込んだ情報を製品生産情報として記憶するとともに、クライアント端末からの要求に応じて前記製品生産情報について所定の情報処理を実行し、その結果を前記クライアント端末に提供する生産情報管理サーバと、
前記生産情報管理サーバに前記ネットワークを介して接続され、前記生産情報管理サーバに対し前記製品生産情報について所定の情報処理を要求し、その情報処理の結果の提供を受けるクライアント端末と
を備えた生産情報管理システムにおける生産情報管理方法であって、
前記タグ情報管理装置が、
前記被加工物を加工する加工工程開始時に、前記識別タグに記憶されているタグ情報を読み取るステップと、
前記加工工程における加工実績情報を取得するステップと、
前記読み取ったタグ情報、および、前記取得した加工実績情報に基づき、新規タグ情報を生成するステップと、
前記加工工程終了時に、前記生成された前記新規タグ情報を新規識別タグに書き込むステップと、
前記加工工程終了時に、前記生成された前記新規タグ情報を前記生産情報管理サーバに送信するステップと、
前記新規タグ情報が書き込まれた前記新規識別タグを前記被加工物に付設するステップと
を実行し、
前記生産情報管理サーバが、
前記タグ情報管理装置から送信された前記新規タグ情報を受信するステップと、
前記受信された前記新規タグ情報を、前記被加工物の製品生産情報として記憶するステップと、
前記クライアント端末が送信する情報処理要求コードを受信するステップと、
前記受信された情報処理要求コードによって指示された内容の情報処理を実行するステップと、
前記情報処理の結果の情報を前記クライアント端末に送信するステップと
を実行し、
前記クライアント端末が、
前記生産情報管理サーバに対し、前記製品生産情報を処理する情報処理の内容を指示した情報処理要求コードを送信するステップと、
前記生産情報管理サーバが送信した情報処理の結果の情報を受信するステップと
を実行すること
を特徴とする生産情報管理システムにおける生産情報管理方法。
【請求項６】
被加工物に付設されてその被加工物の個別識別情報および加工情報を記憶した識別タグに対する読み取りおよび書き込みの情報を管理するタグ情報管理装置であって、
前記被加工物を加工する加工工程開始時に、前記識別タグに記憶されているタグ情報を読み取るタグ情報読み取り手段と、
前記加工工程終了時に、前記タグ情報読み取り手段が読み取ったタグ情報を、新規識別タグに書き込む新規タグ情報書込み手段と、
前記新規識別タグを前記被加工物に付設する新規識別タグ付設手段と
を備えたことを特徴とするタグ情報管理装置。
【請求項７】
被加工物に付設されてその被加工物の個別識別情報および加工情報を記憶した識別タグに対する読み取りおよび書き込みの情報を管理するタグ情報管理装置であって、
前記被加工物を加工する加工工程開始時に、前記識別タグに記憶されているタグ情報を読み取るタグ情報読み取り手段と、
前記加工工程における加工実績情報を取得する加工実績情報取得手段と、
前記タグ情報読み取り手段が読み取ったタグ情報、および、加工実績情報取得手段が取得した加工実績情報に基づき、新規タグ情報を生成する新規タグ情報生成手段と、
前記加工工程終了時に、前記新規タグ情報生成手段により生成された前記新規タグ情報を、新規識別タグに書き込む新規タグ情報書込み手段と、
前記新規識別タグを前記被加工物に付設する新規識別タグ付設手段と
を備えたことを特徴とするタグ情報管理装置。
【請求項８】
前記新規タグ情報生成手段は、前記タグ情報読み取り手段が読み取った前記タグ情報に、前記加工実績情報取得手段が取得した前記加工実績情報を追加することにより、前記新規タグ情報を生成すること
を特徴とする請求項７に記載のタグ情報管理装置。
【請求項９】
前記加工工程において前記被加工物に付設された識別タグの付設位置の追尾を行う識別タグトラッキング手段と、
前記識別タグトラッキング手段が出力する情報に基づき、前記加工工程の開始および終了のタイミングを求め、前記タグ情報読み取り手段が前記タグ情報を読み取るタイミング、および、前記新規タグ情報書き込み手段が前記新規タグ情報を前記新規識別タグに書き込むタイミングを設定するタイミング設定手段と
を、さらに、備えたことを特徴とする請求項６ないし請求項８のいずれかの一項に記載のタグ情報管理装置。
【請求項１０】
被加工物に付設されてその被加工物の個別識別情報および加工情報を記憶した識別タグに対する読み取りおよび書き込みの情報を管理するタグ情報管理装置におけるタグ情報管理方法であって、
前記タグ情報管理装置が、
前記被加工物を加工する加工工程開始時に、前記識別タグに記憶されているタグ情報を読み取るステップと、
前記加工工程終了時に、前記読み取ったタグ情報を新規識別タグに書き込むステップと、
前記被加工物に付設された新規識別タグへの書き込み情報である新規タグ情報が書き込まれた前記新規識別タグを前記被加工物に付設するステップと
を実行することを特徴とするタグ情報管理装置におけるタグ情報管理方法。
【請求項１１】
被加工物に付設されてその被加工物の個別識別情報および加工情報を記憶した識別タグに対する読み取りおよび書き込みの情報を管理するタグ情報管理装置におけるタグ情報管理方法であって、
前記タグ情報管理装置が、
前記被加工物を加工する加工工程開始時に、前記識別タグに記憶されているタグ情報を読み取るステップと、
前記加工工程における加工実績情報を取得するステップと、
前記読み取ったタグ情報、および、前記取得した加工実績情報に基づき、新規タグ情報を生成するステップと、
前記加工工程終了時に、前記生成された前記新規タグ情報を新規識別タグに書き込むステップと、
前記新規タグ情報が書き込まれた前記新規識別タグを前記被加工物に付設するステップと
を実行することを特徴とするタグ情報管理装置におけるタグ情報管理方法。
【請求項１２】
前記タグ情報管理装置が、
前記加工工程において前記被加工物に付設された識別タグの付設位置を追尾するステップと、
前記識別タグの位置を追尾するステップによって得られた情報に基づき、前記加工工程の開始および終了のタイミング情報を求め、求められたタイミング情報により、前記識別タグから前記タグ情報を読み取るタイミング、および、前記新規タグ情報を新規識別タグに書き込むタイミングを設定するステップと
を、さらに、実行することを特徴とする請求項１０または請求項１１に記載のタグ情報管理装置におけるタグ情報管理方法。
【請求項１３】
被加工物に付設されてその被加工物の個別識別情報および加工情報を記憶した識別タグに対する読み取りおよび書き込みの情報を管理するタグ情報管理装置と、クライアント端末とに、ネットワークを介して接続された生産情報管理サーバにおける生産情報サービス方法であって、
前記生産情報管理サーバが、
前記タグ情報管理装置から送信された前記被加工物に付設された新規識別タグへの書き込み情報である新規タグ情報を受信するステップと、
前記受信した新規タグ情報を、前記被加工物の製品生産情報として自らが有する記憶手段に記憶するステップと、
前記クライアント端末から送信される情報処理要求の指示情報を受信するステップと、
前記記憶手段に記憶された前記被加工物の製品生産情報を対象として、前記受信した指示情報によって指示された内容の情報処理を行うステップと、
前記情報処理の結果の情報を前記クライアント端末に送信するステップと
を実行すること
を特徴とする生産情報サービス方法。
【請求項１４】
前記生産情報管理サーバは、
前記クライアント端末から送信された前記情報処理要求の指示情報に基づき、その指示情報によって指定された特定の被加工物に付設された識別タグに書き込まれた前記新規タグ情報を検索し抽出する処理、その指示情報によって指定された特定の製品の特定の工程の製品生産情報を抽出しその統計をとる処理、または、その両方の処理を行うこと
を特徴とする請求項１３に記載の生産情報サービス方法。
【請求項１５】
被加工物を加工する加工機械装置と、前記被加工物に付設してその被加工物の個別識別情報および加工情報を記憶する識別タグと、前記識別タグに対する読み取りおよび書き込みの情報を管理するタグ情報管理装置とを含んで構成された生産システムであって、
前記タグ情報管理装置が、
前記被加工物を加工する加工工程開始時に、前記識別タグに記憶されているタグ情報を読み取るタグ情報読み取り手段と、
前記加工工程終了時に、前記タグ情報読み取り手段が読み取ったタグ情報を、新規識別タグに書き込む新規タグ情報書込み手段と、
前記新規識別タグを前記被加工物に付設する新規識別タグ付設手段と
を備えたことを特徴とする生産システム。
【請求項１６】
被加工物を加工する加工機械装置と、前記被加工物に付設してその被加工物の個別識別情報および加工情報を記憶する識別タグと、前記識別タグに対する読み取りおよび書き込みの情報を管理するタグ情報管理装置とを含んで構成された生産システムであって、
前記タグ情報管理装置が、
前記被加工物を加工する加工工程開始時に、前記識別タグに記憶されているタグ情報を読み取るタグ情報読み取り手段と、
前記加工工程における加工実績情報を取得する加工実績情報取得手段と、
前記タグ情報読み取り手段が読み取ったタグ情報、および、加工実績情報取得手段が取得した加工実績情報に基づき、新規タグ情報を生成する新規タグ情報生成手段と、
前記加工工程終了時に、前記新規タグ情報生成手段により生成された前記新規タグ情報を、新規識別タグに書き込む新規タグ情報書込み手段と、
前記新規識別タグを前記被加工物に付設する新規識別タグ付設手段と
を備えたことを特徴とする生産システム。
【請求項１７】
前記新規タグ情報生成手段は、
前記タグ情報読み取り手段が読み取った前記タグ情報に、前記加工実績情報取得手段が取得した前記加工実績情報を追加することにより、前記新規タグ情報を生成すること
を特徴とする請求項１６に記載の生産システム。
【請求項１８】
前記タグ情報管理装置は、さらに、
前記加工工程において前記被加工物に付設された識別タグの付設位置の追尾を行う識別タグトラッキング手段と、
前記識別タグトラッキング手段が出力する情報に基づき、前記加工工程の開始および終了のタイミングを求め、前記タグ情報読み取り手段が前記タグ情報を読み取るタイミング、および、前記新規タグ情報書き込み手段が前記新規タグ情報を前記新規識別タグに書き込むタイミングを設定するタイミング設定手段と
を備えたことを特徴とする請求項１５ないし請求項１７のいずれかの一項に記載の生産システム。
【請求項１９】
前記加工機械装置は、
前記識別タグを付設した状態の被加工物を加工すること
を特徴とする請求項１５ないし請求項１８のいずれかの一項に記載の生産システム。
【手続補正２】
【補正対象書類名】明細書
【補正対象項目名】発明の名称
【補正方法】変更
【補正の内容】
【発明の名称】生産情報管理システム、生産情報管理サーバ、タグ情報管理装置、生産情報管理方法、タグ情報管理方法、生産情報サービス方法、および、生産システム
【手続補正３】
【補正対象書類名】明細書
【補正対象項目名】０００１
【補正方法】変更
【補正の内容】
【０００１】
本発明は、識別タグを用いて製品や部品を識別するとともに、生産過程における加工指示情報や加工実績情報等の履歴を管理する生産情報管理システム、生産情報管理サーバ、タグ情報管理装置、生産情報管理方法、タグ情報管理方法、生産情報サービス方法、および、生産システムに関する。
【手続補正４】
【補正対象書類名】明細書
【補正対象項目名】０００６
【補正方法】変更
【補正の内容】
【０００６】
以上の従来技術の問題点に鑑み、本発明の第１の課題は、識別タグが破壊される工程があっても、識別タグに蓄積された加工履歴や加工実績情報が失われることがないようにしたタグ情報管理装置およびタグ情報管理方法を提供することである。また、本発明の第２の課題は、識別タグに蓄積されている加工履歴や加工実績情報をバックアップするシステムを構築することによって、識別タグに保管されている情報が失われても、その情報を回復することができるとともに、製品別、工程別等に統計情報を取得することが可能な生産情報管理システム、生産管理サーバ、生産情報管理方法、生産情報サービス方法、および、生産システムを提供することにある。